(57)【要約】カード案内装置がシャシに対して回路基板を案内するために使用される。カード案内装置は、カード案内装置に沿って第１方向に延びる案内レールと、カード案内装置をシャシに取り外し可能に取り付けるように構成される端部と、第２方向に延びる指とを含む。指は、隣接するカード案内装置との相互連結を可能にする形状および寸法をもつ。指は、カード案内装置を通過する第３方向に空気の流れを可能にする空間の終点を画定する。
2005536058.tif 000002
【特許請求の範囲】
【請求項１】
シャシに対して回路基板を案内するために使用されるカード案内装置であって、
前記カード案内装置に沿って第１方向に延びる案内レールと、
前記カード案内装置を前記シャシに取り外し可能に取り付けるように構成される端部と、
第２方向に延びる指とを含み、前記指が隣接するカード案内装置との相互連結を可能にする形状および寸法をもち、前記指が前記カード案内装置を通過する第３方向に空気流を可能にする空間の終点を画定する
カード案内装置。
【発明の詳細な説明】
【技術分野】
【０００１】
本発明は、カード案内装置およびシャシに対して回路基板を案内するために使用する方法に関する。
【背景技術】
【０００２】
プリント回路基板（例えば、電気通信のラインカード）などのカードが、計算機システム内部の組み合せコネクタに接続するための計算機システム（例えば、通信スイッチシステム）に挿入される。
【発明の開示】
【発明が解決しようとする課題】
【０００３】
カードがコネクタと係合するために計算機システム中に挿入されるとき、コネクタが適切に配置されることを保証するために、相当な程度の案内が必要になる。挿入されるカードが相当の長さをもつとき、案内の必要はさらにより重要になる。また、組み合せコネクタのピンの数が増えるにつれて、挿入時にカードの案内が不適切な場合、これらのピンへの損傷の可能性が増大する。これらの要因は、コネクタのピンを損傷することなく、組み合せコネクタの適切な係合解除を保証するように、計算機システムからカードを抜き出すときにも当てはまる。
【課題を解決するための手段】
【０００４】
本発明の１つの態様では、カード案内装置は、シャシに対して回路基板を案内するために使用される。カード案内装置は、カード案内装置に沿って第１方向に延びる案内レールと、カード案内装置をシャシに取り外し可能に取り付けるように構成される端部と、第２方向に延びる指とを含む。指は、隣接するカード案内装置との相互連結を可能にする形状および寸法をもつ。指は、カード案内装置を通過する第３方向に空気の流れを可能にする空間の終点を画定する。
【０００５】
本発明を実施することにより、１つまたは複数の以下の利点を提供することができる。様々な寸法の電子カードは、シャシ内に構成されることができる。電子カードは、隣接するカードからの物理的な支持を利用することなく、挿入されまた取り外されることができる。電子カードは、他のカードおよびシャシに対して適切な位置に案内されることができる。てこ作用の支援が電子カードの挿入のために与えられることができる。
【０００６】
他の利点および特徴が図面を含めた以下の説明から、また特許請求の範囲から明らかになるであろう。
【発明を実施するための最良の形態】
【０００７】
通信システムなどの従来の計算システムは、プリント回路「ＰＣ」基板などの複数の取り外し可能で挿入可能な電子カードを使用することができる。そのような従来のシステムでは、剛性のカード案内装置がシャシにカードを固定するために備えられる。剛性のカード案内装置は取り外し可能に挿入可能ではなく、したがってシステムが、第２のラインカードの上方に第１のラインカードをもつ場合、それらの間に配置された剛性のカード案内装置は、他の（例えば、より大きい）サイズのラインカードが受け入れられることができないように固定される。そのような場合、ラインカードの空間が限られるので、システムを拡張し、あるいは、より多くの容量またはより多くの処理能力を備えるシステムを提供することは難しい。
【０００８】
次に取り外し可能なカード案内装置が説明される。少なくとも１つの実施形態では、取り外し可能なカード案内装置は、様々の寸法のラインカードが使用されることを可能にする。特に、半分の寸法のラインカードが使用されることができ、または取り外し可能なカード案内装置が取り外されることができ、したがって、半分の寸法よりも大きいカードが使用されることができ、ラインカードは、取り外し可能なカード案内装置が取り外されなければ可能でないところまでさらに延びる。さらに、取り外し可能なカード案内装置は、システム用のシャシの裏面内部の任意の場所で取り外し可能であり、すなわち、左から右に延びる相互に噛み合う取り外し可能なカード案内装置の組の中で、特定の順序でカード案内装置を取り外す必要はない。取り外し可能なカード案内装置は、左から右にまたは右から左に取り外す必要はなく、すなわち最初に左側または右側のいずれかを取り外すことなく、１つまたは複数の中央の取り外し可能なカード案内装置は取り外されることができる。
【０００９】
取り外し可能なカード案内装置は、存在しない場合もある近隣の取り外し可能なカード案内装置の助けなしで、対応する１つまたは複数の電子カードを支持するのに十分に頑丈である。したがって、例えば、電子カードは、右端に最終のカードがなしで、左から右に延びかつ対応する取り外し可能なカード案内装置がシャシの右側になにも支持連結なしで、所定の位置に置かれる場合、取り外し可能なカード案内装置は、すべての電子カードを支持できる。別の例では、取り外し可能なカード案内装置は、両側に取り外し可能なカード案内装置がなく例えば両側に全面の寸法のカードを備える場合、対応する１つまたは複数の電子カード（半分の寸法のカードでもよい）を支持することができる。
【００１０】
少なくとも１つの実施形態では、各取り外し可能なカード案内装置は独立型であるが、取り外し可能なカード案内装置が、１つまたは複数の隣接する取り外し可能なカード案内装置と物理的に相互連結できるように相互連結する。
【００１１】
さらに詳細に以下で説明するように、少なくとも１つの実施形態では、取り外し可能なカード案内装置は、取り外し可能なカード案内装置を通過する空気の流れを容易にする形状をもつ。
【００１２】
次に、説明される少なくとも１つの実施形態に関して、図１Ａ〜１Ｃ、２Ａ〜２Ｃ、３が、取り外し可能な案内取り付け金具として働くことができる取り付け金具１００の種々図を示す。図１Ｂは、取り付け金具１００が、シャシ４００（図５〜８）に取り付け金具を取り付けるように適合された端部１１０をもつことを示す。図１Ａ、２Ａに示すように、取り付け金具１００はタブ（「指」）１２０Ａ〜１２０Ｆを備える。取り付け金具１００は、図１Ａ、２Ａには示されていない他のタブ１２０Ｇ、１２０Ｈも備える。取り付け金具１００のタブは、近隣のまたは隣接する同様の取り付け金具および取り付け金具１００の両側でラインカードなどの電子カードを保持し支持する中央カード案内装置（「案内レール」）１３０Ａ、１３０Ｂ（図１Ａ〜１Ｂ、図２Ａ〜２Ｂ）に連結しまたはそれらを支持するためのものである。
【００１３】
少なくとも１つの実施形態では、取り付け金具が合金６０６１−Ｔ６製の押出し加工品であり、またはそれを含み、無電解ニッケル仕上げである場合に有利である。そのような場合、図２Ｂに示すように、端部１１０は、止め座金１４０（＃８通常鋼）、少なくとも１つの合わせピン（「案内ピン」）１５０（ＭｃＭａｓｔｅｒ  Ｃａｒｒ  ９８３８０Ａ４１５）、拘束ねじ１６０（８−３２ｘ．７５；ＲＡＦ４０８−Ｓ−１２）、および刻み付き締結装置１７０（Ｓｏｕｔｈｃｏ  ７１−１−２３２−１３）をもつことができる。
【００１４】
図４は、取り付け金具１００の排出レール端部１８０に取り付けられた排出レール部材（端部蓋装置）３００を示す。少なくとも１つの例の実施形態では、部材３００が、ソフトシールド５０００部材３１０（Ｃｈｒｏｍｅｒｉｃｓ  ８２−１２２−７４０７４−００１３１）および５０００ＳＳ  ガスケット３２０（Ｃｈｒｏｍｅｒｉｃｓ  ８２−１２２−７４０３９−００１０３）をもつ場合に有利である。
【００１５】
取り付け金具１００が、取り付け金具１００の端部１１０をねじ１６０によって金属レールと噛み合わされるねじ取り付け装置によってシャシ４００の金属レール内に取り付けられる。端部１１０の締結装置１７０が、ねじが縁取りナットと噛み合って取り付け金具１００を所定位置に保持する縁取りナットであってもよく、またはそれを含んでもよい。
【００１６】
取り付け金具１００の２つの案内ピン１５０（図２Ａ〜２Ｂ、３）が金属レールの２つの穴と位置合わせされ、取り付け金具を時計方向または反時計方向に回転させないようにすることを助ける。案内ピン１５０は、取り付け金具１００を１つまたは複数の他の取り付け金具と位置合わせすることも助け、したがって対応する電子カードが滑らかに滑り込み、滑り出ることができて、対応する電子カードが望む角度（例えば、互いに平行なまたは直角の角度）に案内される。取り付け金具１００が、同じ電子カードの他の縁部と接触する他の取り付け金具と位置合わせされない場合には（例えば案内ピン１５０が存在しない場合には）、電子カードが、挿入時に望ましくなく曲げられなければならなくなるであろう。
【００１７】
さらに、図１Ａ、１Ｃに示すように、上部および下部カード案内レール１３０Ａ、１３０Ｂが、取り付け金具１００の主要樽領域１２５の上および下に配置され、指１２０Ａ〜１２０Ｈが、１つまたは複数の隣接する取り付け金具と相互連結するように樽領域１２５から延びる。カード案内レール１３０Ａ、１３０Ｂへの入口点（例えば、入口点１２７）は、レール１３０Ａ、１３０Ｂ中に電子カードを案内するのを助けるように漏斗の形状である。
【００１８】
指１２０Ｃ、１２０Ｄは幾分下方を指し、指１２０Ａ、１２０Ｂは上方を指す。隣接する取り付け金具は、互いに平行に滑動することによって相互に連結する。シャシ内で、新しく挿入された取り付け金具は、近接するすでに存在する取り付け金具とシャシ中で滑動することによって相互連結する。指１２０Ｃ、１２０Ｄおよび指１２０Ａ、１２０Ｂなどの対応する指は、接触領域でほぼ同じ幅をもち、したがって各指の全体の構造強度、または、ほとんど全体の構造強度が支持的な相互連結に提供される。
【００１９】
樽領域１２５は、少なくとも部分的に空気の流れを容易にするためになされた押し出し成形から少なくとも部分的に機械加工された形体を備える円筒形の形状をもつ。図２Ｂは、指１２０〜１２０Ｈを残して材料を機械加工することによって空間１２９Ａ、１２９Ｂ、１３１Ａ，１３１Ｂが作られることを示す。
【００２０】
円筒形の樽領域１２５は、取り付ける人が、樽領域１２５によって案内されて、ねじまわしを差し込み、ねじをまわして取り付け金具をシャシの金属レールに固定し、したがってねじを取り外すことで取り付け金具がレールから分離されることができるように開いている。
【００２１】
図２Ａ、２Ｃで示すように少なくとも１つの実施形態では、取り付け金具１００はシャシから突出した取り付け金具１００の端部１８０にねじ穴１３３Ａ、１３３Ｂも含むことができる。ねじ穴１３３Ａ、１３３Ｂは、端部蓋装置３００（図４）が取り付け金具の端部に取り付けられることを可能にする。端部蓋装置３００が、シャシへの電子カードの挿入を容易にするために、電子カードの１つまたは複数のてこ鎖錠と共に使用される。端部蓋装置は、電子カードがシャシに挿入されるとき、てこ鎖錠が相互作用する留金３１５をもつ。例えば、電子カードは入れるのに少なくとも４４４．８Ｎ（１００ポンド−力）を必要とし、てこ鎖錠および端部蓋装置が、てこ作用を用いてそのような挿入を容易にすることができる。
【００２２】
シャシの１つの例の実施形態では、空気がシャシの下から来て、上に押し上げられシャシの上部から引かれる。上で指摘したように、取り付け金具１００は、そのような空気の流れを容易にする形体を含む。上述のように、領域１２９Ａ、１２９Ｂ、１３１Ａ、１３１Ｂは、空気の流れが指１２０Ａ〜１２０Ｈを通過することを可能にするように、機械加工される。１つまたは複数の指１２０Ａ〜１２０Ｈを設置することも、空気の流れを容易にする。例えば、指１２０Ｂ、１２０Ｃ、１２０Ｅは空気の流れがすでに対応する電子カードの構成要素によって妨げられたと予想されるところに設置され、したがって、指は、そうでない場合に、まだ妨害されない空気の流れをほとんどまたは全く妨害しない。特定の例では、指は、すでにかなり空気の流れを妨害した電子カードの１．２７ｃｍ（半インチ）の中間点コネクタと共に設置される。
【００２３】
ある特定の実施形態では、１つまたは複数の指１２０Ｂ、１２０Ｃ、１２０Ｅは、シャシのレールと接触する端部１１０の部分と同一平面になるほど十分には延びない幅をもつ。
【００２４】
少なくとも１つの実施形態では、取り付け金具１００が、取り付け金具１００に滑らかな外面をもたらして電子カードを滑り入れまたは滑り出すことを容易にするニッケルメッキまたは洋白メッキである場合に有利である。少なくともいくつかの場合では、メッキされないアルミニウムの取り付け金具は表面が粗く、電子カードを束縛することがある。
【００２５】
取り付け金具１００は、部品に切断する長い部品を押し出し加工して、各部品は、１つの取り付け金具の長さで、この明細書において説明された形体を備えるように機械加工され、穴を開けられる。例えば、ねじ穴１３３Ａ、１３３Ｂが開けられ、案内ピン１５０が穴を開けピンにプレス加工されることによって形成される。締結装置１７０は、締結装置１７０が押し込まれるとき、取り付け金具１００の対応する歯と係合して相互に噛み合わせる歯を外部円周にもつ。
【００２６】
図２Ａに示すように、案内レール１３０Ａは、取り付け金具１００に沿って１５１Ａの方向に延びる。端部１１０が、取り付け金具１００をシャシに取り外し可能に取り付けるように構成される。指１２０Ｃが１５１Ｂの方向に延び、隣接する取り付け金具と相互連結を可能にする形状および寸法をもつ。指１２０Ｃは、取り付け金具１００を通って１５１Ｃの方向に空気の流れを可能にする空間１５３の終点を画定する。
【００２７】
他の実施形態も、以下の特許請求の範囲の範囲内にある。例えば、取り付け金具１００または端部蓋装置３００が開いた板金、成形されたプラスチック、他のプラスチックまたはセラミック製であってもよく、またはそれらを含んでもよい。
【図面の簡単な説明】
【００２８】
【図１Ａ】カード案内装置の透視図である。
【図１Ｂ】カード案内装置の側部断面図である。
【図１Ｃ】カード案内装置の端面図である。
【図２Ａ】カード案内装置の透視図である。
【図２Ｂ】カード案内装置の側部断面図である。
【図２Ｃ】カード案内装置の端面図である。
【図３】カード案内装置の端面図である。
【図４】端部蓋装置の透視図である。
【図５】カード案内およびシャシ装置を示す図である。
【図６】カード案内およびシャシ装置を示す図である。
【図７】カード案内およびシャシ装置を示す図である。
【図８】カード案内およびシャシ装置を示す図である。
2005536058.tif 000003
2005536058.tif 000004
2005536058.tif 000005
2005536058.tif 000006
【図３】
2005536058.tif 000007
【図４】
2005536058.tif 000008
【図５】
2005536058.tif 000009
【図６】
2005536058.tif 000010
【図７】
2005536058.tif 000011
【図８】
2005536058.tif 000012
【国際調査報告】
2005536058.tif 000013
2005536058.tif 000014
2005536058.tif 000015